(57)【要約】【目的】電話帳ファイルの検索時に、発呼頻度の高い相手先の電話番号情報を優先的に表示させることができる電話端末を提供する。【構成】制御部３に、発呼実績のある相手先の名称とそれに対する発呼回数とを対応させて記憶する発呼回数メモリ部３１を設け、問い合わせ項目が入力された場合に、制御部３が、発呼回数メモリ部３１を検索して、問い合わせ項目に該当する名称を発呼回数の多い順に読み取って表示させる電話端末としている。【選択図】　図１
2004032786.tif 000002
【特許請求の範囲】
【請求項１】
情報を表示する表示部と、相手先名称とその電話番号を対応させて記憶する電話帳ファイルと、入力部とを有する電話端末において、前記電話帳ファイルに格納されている電話番号情報の内、過去に発呼した実績のある相手先について、その相手先の名称と通算の発呼回数とを対応させて記憶する発呼メモリと、前記発呼メモリの内容から相手先の名称を発呼回数順に読み取って前記表示部に表示し、前記入力部により目的の相手である旨の入力がなされると前記表示している相手先名称に対応する電話番号を前記電話帳ファイルから検索して表示し、前記相手先の名称と電話番号が表示された状態で前記入力部の回線接続キーが押下されると前記表示されている電話番号に発呼する制御部とを有することを特徴とする電話端末。
【発明の詳細な説明】
【０００１】
【産業上の利用分野】本発明は、電話帳ファイルを備えた電話端末に係り、特に、電話帳ファイルの検索時に、発呼頻度の高い相手先の電話番号情報を優先的に表示させて、検索作業を容易にすることができる電話端末に関する。
【０００２】
【従来の技術】電話帳ファイルは、ＣＤやフロッピーディスク等の不揮発性記憶手段に相手先の名称とそれに対応する電話番号を記憶した電子式電話帳である。電話帳ファイルを備えた電話端末は、利用者が入力した問い合わせ項目に基づいて電話帳ファイルを検索して、該当する電話番号を読み取って表示し、更に、検索した電話番号に対して発呼する（電話をかける）機能を有するものである。
【０００３】従来の電話帳ファイルを備えた電話端末としては、図４に示すようなものがあった。図４は、従来の電話帳ファイルを備えた電話端末の構成ブロック図である。従来の電話帳ファイルを備えた電話端末は、相手先の名称とその電話番号を対応させて記憶する電話帳ファイル１と、問い合わせ項目（例えば「医院」「銀行」）等を入力するキー入力部２と、問い合わせ項目を読み取って電話帳ファイル１から該当する名称の電話番号を読み出す制御部３と、検索結果を表示する表示部４と、公衆回線６に接続するための電話回線インタフェース５と、送受話器７とから構成されている。
【０００４】更に、キー入力部２は問い合わせ項目等を選択・指定入力する文字キー２１と、表示部４に表示されている電話番号に発呼することを指示する回線接続キー２２と、検索結果として目的の電話番号情報が表示されていない場合に、問い合わせ項目に該当する別の情報を表示させることを指示するスクロールキー２３とから構成されている。
【０００５】ここで、上記構成の従来の電話端末の制御方法について図５を用いて説明する。図５は、従来の電話端末の制御方法を示すフローチャート図である。キー入力部２の文字キー２１から問い合わせ項目が選択・指定入力される（５０１）と、制御部３は、入力された文字列を読み取り（５０２）、電話帳ファイル１を検索して入力された文字列と同一文字列を含む名称（該当名称）とそれに対応する電話番号を読み取って（５０３）、表示部４において表示させる（５０４）。
【０００６】利用者は、表示された検索結果を見て目的の情報であるかどうかを判断し（５０５）、表示された情報が目的の電話番号である場合、回線接続キー２２を押下する（５０６）と、制御部３が、表示されている電話番号に対して発呼して回線接続を行い（５０７）、通話状態となる（５０８）。
【０００７】また、処理（５０５）において表示された情報が目的の情報でないと判断した場合には、利用者はスクロールキー２３を押下し（５０９）、制御部３は、処理（５０３）に戻って再び電話帳ファイル１を検索して、問い合わせ項目に該当する別の名称とそれに対応する電話番号を取り出して表示させる。そして、目的の電話番号情報が取り出されるまで同様の処理を繰り返すようになっていた。
【０００８】
【発明が解決しようとする課題】しかしながら、上記従来の電話端末では、問い合わせ項目が入力された場合に、常に電話帳ファイル１の先頭から検索するようになっているため、場合によっては、目的の情報を取り出すのに何度もスクロールキー２３を押下して検索しなおす必要があり、検索作業に時間がかかって不便であるという問題点があった。
【０００９】本発明は上記実情に鑑みて為されたもので、相手先毎の発呼回数を学習する機能を備え、電話帳ファイルの検索を行う場合に、発呼頻度の高い相手先の電話番号情報を優先的に表示させることができる電話端末を提供することを目的とする。
【００１０】
【課題を解決するための手段】上記従来例の問題点を解決するための請求項１記載の発明は、電話番号情報を表示する表示部と、各名称とそれに対応する電話番号を記憶する電話帳ファイルと、前記各名称に関する問い合せ項目を入力する入力部と、入力された問い合わせ項目を読み取り、前記電話帳ファイルから前記問い合わせ項目と同一の文字列を含む該当名称と前記該当名称に対応する電話番号を読み取って、前記該当名称と前記該当名称に対応する電話番号を前記表示部に表示させる制御部とを有する電話端末において、前記電話帳ファイルから読み出された該当名称と、前記該当名称に対応する電話番号の発呼回数とを対応させて記憶する発呼回数メモリ部を有し、前記制御部が、前記入力部から問い合わせ項目が入力された場合に、前記発呼回数メモリ部を検索して、前記問い合わせ項目と同一の文字列を含む該当名称を発呼回数の多い順に読み取って前記表示部に表示させる制御部であることを特徴としている。
【００１１】上記従来例の問題点を解決するための請求項２記載の発明は、請求項１記載の電話端末において、制御部が、問い合わせ項目と同一の文字列を含む該当名称を発呼回数メモリ部から読み取った場合に、電話帳ファイルを検索して前記該当名称に対応する電話番号を読み取って表示部に表示させる制御部であることを特徴としている。
【００１２】上記従来例の問題点を解決するための請求項３記載の発明は、請求項１記載の電話端末において、制御部が、発呼回数メモリ部から問い合わせ項目と同一の文字列を含む該当名称を読み取り、電話帳ファイルから前記該当名称に対応する電話番号を読み取り、前記電話番号に対して発呼した場合に、前記発呼回数メモリ部に記憶されている前記該当名称に対応する発呼回数に１を加えて前記発呼回数を更新し、更新された前記発呼回数に基づいて前記発呼回数メモリ部に記憶されている名称の表示優先順位を変更する制御部であることを特徴としている。
【００１３】
【作用】請求項１記載の発明によれば、電話帳ファイルから読み出された問い合せ項目と同一の文字列を含む該当名称とそれに対する発呼回数とを対応させて記憶する発呼回数メモリ部を設け、制御部が、問い合わせ項目が入力された場合に、発呼回数メモリ部から、問い合わせ項目と同一文字列を含む該当名称を発呼回数の多いものから優先的に読み取って表示部に表示させる電話端末としているので、検索時に、発呼頻度の高い相手先の電話番号情報を優先的に表示させることができ、検索時間を短縮して、検索作業を容易にすることができる。
【００１４】請求項２記載の発明によれば、制御部が、発呼回数メモリ部から問い合わせ項目に該当する名称を読み取った場合に、電話帳ファイルを検索して、該当名称に対応する電話番号を読み取って表示部に表示させる請求項１記載の電話端末としているので、発呼回数メモリ部に電話番号を記憶させる必要がなく、発呼回数メモリ部の容量を余り大きくしなくて済むため、相手先名称とそれに対する発呼回数を記憶して発呼回数の多い電話番号情報を優先的に表示させる機能を低いコストで実現できる。
【００１５】請求項３記載の発明によれば、制御部が、発呼回数メモリ部から読み取った問い合わせ項目に該当する名称に対応する電話番号に対して発呼した場合に、発呼回数メモリ部に記憶されている該当名称の発呼回数を読み取り、読み取った発呼回数に１を加えて、該当名称の発呼回数を更新し、更新された発呼回数に基づいて新しい表示優先順位を変更する請求項１記載の電話端末としているので、発呼回数メモリ部に、常に最新の発呼回数を記憶させておくことができ、最新の発呼回数に基づいて検索表示を行うことができ、検索時間を短縮して、検索作業を容易にすることができる。
【００１６】
【実施例】本発明の一実施例について図面を参照しながら説明する。本実施例の電話端末は、発呼実績のある相手先の名称とその相手先に対して発呼した回数を対応させて記憶する発呼回数メモリ部を設け、問い合わせ項目が入力された場合には、発呼回数メモリ部を検索して、発呼頻度の高い相手先の電話番号から優先的に表示させることができるようにしたものである。
【００１７】本実施例の電話端末の構成について図１を用いて説明する。図１は、本発明の一実施例に係る電話端末の構成ブロック図である。尚、従来の電話端末と同様の構成を取る部分については、図４と同一の符号を付して説明する。本実施例の電話端末の基本的な構成は、図４に示した従来の電話端末とほぼ同様であり、相手先の名称とその電話番号を対応させて記憶する電話帳ファイル１と、「医院」「銀行」等の問い合わせ項目を選択・指定入力するキー入力部２と、問い合わせ項目を読み取って電話帳ファイル１を検索する制御部３と、相手先の名称とその名称に対する発呼回数とを対応させて記憶する発呼回数メモリ部３１と、表示部４と、電話回線インタフェース５と、送受話器７とから構成されている。
【００１８】また、従来例と同様に、キー入力部２には、文字キー２１と、回線接続キー２２と、スクロールキー２３とが設けられている。文字キー２１は、０〜９の数字と＊及び＃の記号のキーであり、各キー或は各キーの組み合わせにアルファベットを割り付けることにより、問い合わせ項目をローマ字入力で指定する方法や、予め表示部に表示されるメニューの中から選択する方法によって入力が可能である。
【００１９】本実施例の特徴部分である発呼回数メモリ部３１は、電話帳ファイル１に格納されている電話番号情報の内、過去に発呼した実績のある相手先について、その相手先名称と通算の発呼回数とを対応させて記憶するものであり、検索表示の際の優先順位を規定するものである。つまり、発呼回数メモリ部３１は発呼回数の多い順に相手先名称を格納しており、問い合わせ項目が入力された場合には、発呼回数メモリ部３１の先頭から検索していくことにより、優先順位の高い、すなわち発呼回数の多い相手先から順次読み出して表示させることができるようになっている。
【００２０】従って、問い合わせ項目が入力された場合、制御部３は、まず、発呼回数メモリ部３１を先頭から検索して、問い合わせ項目と同一の文字列を含む該当名称を読み取り、表示部４に表示する。つまり、ここで最初に表示される名称は、入力された問い合わせ項目に該当する名称の中で最も発呼回数の多いものとなる。利用者が表示された該当名称を見て、目的の相手であると判断し、「ＯＫ」の入力をすると、制御部３は、電話帳ファイル１を検索して、表示されている該当名称に対応する電話番号を読み取って、表示部４に表示させるようになっている。
【００２１】また、発呼回数メモリ部３１は書き替え可能なＲＡＭやＥ２ＰＲＯＭ等で構成されており、電話帳メモリ１から取り出した電話番号に対して発呼する度に発呼回数を更新して、更新された発呼回数に従って、発呼回数順に相手先名称を並べ変える変更を行うようになっている。
【００２２】すなわち、電話帳メモリ１から取り出された電話番号に対して回線接続キー２２が押下されると、制御部３は、当該電話番号に対して発呼し、相手先の名称が既に発呼回数メモリ部３１に格納されている名称の場合には、発呼回数メモリ部３１の当該名称の発呼回数に１を加えて更新し、発呼回数に従って並べ変えを行う。また、相手先の名称が発呼回数メモリ部３１に格納されていない名称の場合には、新たに当該名称とそれに対応する発呼回数１を発呼回数メモリ部３１の末尾に書き込むようになっている。
【００２３】次に、本実施例の電話端末における制御方法について図２及び図３を用いて具体的に説明する。図２及び図３は、本実施例の電話端末の制御方法を示すフローチャート図であり、特に、図２は発呼回数メモリ部３１を検索する際のフローチャート図であり、図３は電話帳ファイル１を検索する際のフローチャート図である。キー入力部２の文字キー２１から問い合わせ項目が選択・指定入力される（１０１）と、制御部３は、入力された文字列を読み取り（１０３）、発呼回数メモリ部３１の先頭の名称を読み取る（１０５）。そして、読み取った名称に問い合わせ項目と同一文字列が含まれているか、すなわち、該当名称であるかどうかを判断し（１０７）、含まれている場合は、表示部４に表示させる（１０９）。
【００２４】利用者は、表示された名称を見て判断し、次の入力を行う（１１１）。制御部３は、入力が何の指示であるかを判断し（１１３）、「ＯＫ」であれば、制御部３は、電話帳ファイル１を検索して当該名称に対応する電話番号を読み取って（１１５）、再び表示部４に表示させる（１１７）。
【００２５】そして、利用者は、表示された名称と電話番号を確認し、次の入力を行う（１１９）。制御部３は入力された指示を判断し（１２１）、終了の指示であれば処理を終了して待ち受け状態に戻る。回線接続キー２２が押下された場合には、表示されている電話番号に対して発呼する（１２３）。そして、発呼回数メモリ部３１の当該名称の発呼回数を更新し（１２５）、更新した発呼回数に基づいて発呼回数メモリ部３１内の名称を並べ変える（１２７）。
【００２６】また、処理１０７で発呼回数メモリ部３１から読み取った名称に問い合わせ項目と同一の文字列が含まれていない場合と、処理１１３及び処理１２１でスクロールキー２３が押下された場合は、発呼回数メモリ部３１の検索が終了したか否かを判断し（１３１）、終了していないと判断された場合は、発呼回数メモリ部３１から次の名称を読み取って（１３３）、処理１０７の前に戻り、同様の処理を行う。また、発呼回数メモリ部３１の検索が終了したと判断された場合には、発呼回数メモリ部３１には目的とする相手先名称がないとして、図３に示す処理に移行し、従来と同様の方法で電話帳ファイル１を検索する。
【００２７】発呼回数メモリ部３１に問い合わせ項目に該当する名称がなかった場合、図３に示すように、制御部３は、電話帳ファイル１から先頭の名称を読み取り（２０１）、発呼回数メモリ部３１に格納されているか否かを判断し（２０３）、発呼回数メモリ部３１に格納されていない場合には、問い合わせ項目の文字列と同一文字列を含むかどうかを判断し（２０５）、含んでいる場合は、対応する電話番号を読み取り（２０７）、表示部において名称と電話番号を表示させる（２０９）。
【００２８】利用者は、表示部４において検索結果を確認し、次の入力を行う（２１１）。そして、次の入力の指示を判断し（２１３）、終了の指示であれば待ち受け状態に戻る。また、回線接続キー２２であれば、表示されている電話番号を発呼し（２１５）、発呼回数メモリ部３１の末尾に当該名称とそれに対応する発呼回数１を書き込む（２１７）。
【００２９】また、処理２０３で電話帳ファイル１から読み取った名称が発呼回数メモリ部３１に格納されており、図２に示した処理で既に利用者がチェック済みである場合と、処理２０５で入力文字列と同一文字列を含まなかった場合と、処理２１３でスクロールキー２３が押下された場合は、電話帳ファイル１の全ての名称を読み取って検索が終了したか否かを判断し（２２１）、検索が終了していない場合は電話帳ファイル１から次の名称を読み取って（２２３）、処理２０３の前に戻り、同様の処理を行う。また、電話帳ファイル１の検索が終了した場合は、待ち受け状態に戻る。このようにして、本実施例の電話端末の制御方法が行われるものである。
【００３０】本実施例の電話端末及びその制御方法によれば、制御部３に、発呼実績のある相手先の名称とそれに対する発呼回数とを対応させて記憶する発呼回数メモリ部３１を設け、問い合わせ項目が入力された場合に、発呼回数メモリ部３１を検索して、問い合わせ項目に該当する名称を、発呼回数の多い順に読み取って表示させるようにしているので、利用者が、よく電話をかける相手先の名称を優先的に表示させることができ、検索時間を短縮して、検索を容易にすることができる効果がある。
【００３１】
【発明の効果】請求項１記載の発明によれば、電話帳ファイルから読み出された問い合せ項目と同一の文字列を含む該当名称とそれに対する発呼回数とを対応させて記憶する発呼回数メモリ部を設け、制御部が、問い合わせ項目が入力された場合に、発呼回数メモリ部から、問い合わせ項目と同一文字列を含む該当名称を発呼回数の多いものから優先的に読み取って表示部に表示させる電話端末としているので、検索時に、発呼頻度の高い相手先の電話番号情報を優先的に表示させることができ、検索時間を短縮して、検索作業を容易にすることができる効果がある。
【００３２】請求項２記載の発明によれば、制御部が、発呼回数メモリ部から問い合わせ項目に該当する名称を読み取った場合に、電話帳ファイルを検索して、該当名称に対応する電話番号を読み取って表示部に表示させる請求項１記載の電話端末としているので、発呼回数メモリ部に電話番号を記憶させる必要がなく、発呼回数メモリ部の容量を余り大きくしなくて済むため、相手先名称とそれに対する発呼回数を記憶して発呼回数の多い電話番号情報を優先的に表示させる機能を低いコストで実現できる効果がある。
【００３３】請求項３記載の発明によれば、制御部が、発呼回数メモリ部から読み取った問い合わせ項目に該当する名称に対応する電話番号に対して発呼した場合に、発呼回数メモリ部に記憶されている該当名称の発呼回数を読み取り、読み取った発呼回数に１を加えて、該当名称の発呼回数を更新し、更新された発呼回数に基づいて新しい表示優先順位を変更する請求項１記載の電話端末としているので、発呼回数メモリ部に、常に最新の発呼回数を記憶させておくことができ、最新の発呼回数に基づいて検索表示を行うことができ、検索時間を短縮して、検索作業を容易にすることができる効果がある。
【図面の簡単な説明】
【図１】本発明の一実施例に係る電話端末の構成ブロック図である。
【図２】本実施例の電話端末の制御方法を示すフローチャート図である。
【図３】本実施例の電話端末の制御方法を示すフローチャート図である。
【図４】従来の電話帳ファイルを備えた電話端末の構成ブロック図である。
【図５】従来の電話端末の制御方法を示すフローチャート図である。
【符号の説明】
１…電話帳ファイル、　２…キー入力部、３…制御部、　４…表示部、　５…電話回線インタフェース、　６…公衆回線、　７…送受話器、　２１…文字キー、
２２…回線接続キー、　２３…スクロールキー、　３１…発呼回数メモリ部
【図１】
2004032786.tif 000003
【図２】
2004032786.tif 000004
【図３】
2004032786.tif 000005
【図４】
2004032786.tif 000006
【図５】
2004032786.tif 000007